(57)【要約】【課題】  略Ｃ形断面のカバーケースであっても、ショーケースの開口部に、当該ケースにおけるＣ形断面内の下部辺（又は下部壁）にビスなどを立てることができるように形成したカバーケースを具備したオープンショーケース用のナイトカバーを提供すること。【解決手段】  冷凍機能や冷蔵機能が付与されたオープンショーケース１の開口部２を閉じるため、ロールスクリーン構造により巻取り，引出し自在にした柔軟シート地によるカバー本体3bを断面略Ｃ形などのカバーケース４に内装し前記開口部２にカバーケース４を取付けるようにしたナイトカバー３において、カバー本体3bが収装されるカバーケース４をその断面の長さ方向に沿って分割し、一方の分割ピース4eを他方の分割ピース4fに対し着脱自在又は開閉自在に形成したこと。【選択図】図３
2005069648.tif 000002
【特許請求の範囲】
【請求項１】
冷凍機能や冷蔵機能が付与されたオープンショーケースの開口部を閉じるため、ロールスクリーン構造により巻取り，引出し自在にした柔軟シート地によるカバー本体を断面略Ｃ形などのカバーケースに内装し前記開口部にカバーケースを取付けるようにしたナイトカバーにおいて、カバー本体が収装されるカバーケースをその断面の長さ方向に沿って分割し、一方の分割ピースを他方の分割ピースに対し着脱自在又は開閉自在に形成したことを特徴とする冷凍又は冷蔵タイプのオープンショーケース用のナイトカバー。
【請求項２】
分割したカバーケースの一方の分割ピースを他方の分割ピースに、分割ピースホルダを介してスライド式で着脱自在に装着するようにした請求項１の冷凍又は冷蔵タイプのオープンショーケース用のナイトカバー。
【請求項３】
一方の分割ピースを他方の分割ピースに分割ピースホルダを介してビスなどの止着手段により着脱自在に装着するようにした請求項１の冷凍又は冷蔵タイプのオープンショーケース用のナイトカバー。
【請求項４】
一方の分割ピースを他方の分割ピースに枢着部材を介して開閉可能に取付けた請求項１の冷凍又は冷蔵タイプのオープンショーケース用のナイトカバー。
【請求項５】
カバーケースは、ショーケースの取付位置にビス止め，接着剤，磁力のいずれかにより取付けた請求項１〜４のいずれかの冷凍又は冷蔵タイプのオープンショーケース用のナイトカバー。
【発明の詳細な説明】
【技術分野】
【０００１】
本発明は冷凍又は冷蔵機能を備えたオープンショーケースにおいて、夜間，休日等に当該ショーケースの開口部を閉塞するためのいわゆるナイトカバーに関する。
【背景技術】
【０００２】
オープンショーケースにおいて、冷凍，冷蔵機能を備えたものでは、商品の出入れなどの便宜のため、開口部に扉を設ないタイプの商品展示ケースがある。この展示ケースでは、庫内の冷気と常温の外気とを遮断する目的で扉に相当する部分をエアカーテンで仕切るようにしたものもある。
【０００３】
しかし、休業日や営業時間外などの閉店時には商品の出入れをしないので、カバー本体がロールスクリーン状に巻取り引出し自在にしてカバーケースに装填されたナイトカバーを、前記ケースの開口部に設け、前記カバー本体を、カバーケースから引出して当該ショーケースの開口部を塞ぐことにより、塵埃の侵入防止と省エネルギーを目的として庫内と外部を遮断し、自動的に冷凍機やエアカーテンも停止させてしまうことが行われている。
【０００４】
ところで、従来のナイトカバーでは、カバーケースが合成樹脂材の成形品により形成され、このカバーケースがショーケースの開口部の奥側に、当該カバーケースの下部辺や下部壁をビス止めなどにより固定して取付ける態様が採られている。しかし、カバーケース内には既にカバー本体がロールスクリーン状に巻取られた状態で配置されていること、並びに、カバーケースが前面を開口した断面略Ｃ形であるため、当該ケース内の下部辺や下部壁には、外部からビスを立てることができないか、或は、ビスを立てにくいという問題がある。このため、従来ではカバーケースの下部辺（又は下部壁）の前方側又は後方側を当該カバーケースのＣ形断面の前縁又は後縁より突出させて形成しこの突出辺をビス止め部としている。
【０００５】
しかし、ビスを立てるために前方又は後方に突出した下部辺を有するカバーケースは、その下部辺全体のオープンショーケースの取付部分に対する占有面積が大きくなるため、ショーケースに取付けるナイトカバーとしては、取付スペースの問題が派生すると共に、見栄えの点でも優れない。
また、例えば、平台形のショーケースでは、ナイトカバーを取付ける部分を形成する外面パネルの内部に、霜取用ヒータやそのための配線が収容されているため、ナイトカバーを取付けるためのビスにより前記霜取用ヒータやその配線をき損することがないようにしなければならない。しかし、従来のナイトカバーのカバーケースの形態であると、取付用のビスの位置とこのビスを避けなければならない前記霜取用ヒータなどの位置の関係を把握しにくいため、更に取付けに手間取るという問題もある。
【発明の開示】
【発明が解決しようとする課題】
【０００６】
そこで、本発明では、略Ｃ形断面のカバーケースであっても、ショーケースの開口部に、当該ケースにおけるＣ形断面内の下部辺（又は下部壁）にビスなどを立てることができるように形成したカバーケースを具備したオープンショーケース用のナイトカバーを提供することを課題とするものである。
【課題を解決するための手段】
【０００７】
上記課題を解決することを目的としてなされた本発明ナイトカバーの構成は、冷凍機能や冷蔵機能が付与されたオープンショーケースの開口部を閉じるため、ロールスクリーン構造により巻取り，引出し自在にした柔軟シート地によるカバー本体を断面略Ｃ形などのカバーケースに内装し前記開口部にカバーケースを取付けるようにしたナイトカバーにおいて、カバー本体が収装されるカバーケースをその断面の長さ方向に沿って分割し、一方の分割ピースを他方の分割ピースに対し着脱自在又は開閉自在に形成したことを特徴とするものである
【０００８】
また、本発明ナイトカバーにおいては、分割したカバーケースの一方の分割ピースを他方の分割ピースに、分割ピースホルダを介してスライド式で着脱自在に装着するようにした構成、或は、一方の分割ピースを他方の分割ピースに分割ピースホルダを介してビスなどの止ピンにより着脱自在に装着するようにした構成、若しくは、一方の分割ピースを他方の分割ピースに、枢着部材を介して開閉可能に取付けた構成を、選択的に採用することができる。
【０００９】
ここで、カバー本体を収装する前記カバーケースは、プラスチック材の成形体、又は、アルミニウム合金などの金属材の押出成形により形成したものである。また、カバー本体は、比較的薄手で全面が透湿性のある織物地、又は、編物地、若しくは、不織布など、透湿性シート地により形成したものが好ましい。
【００１０】
本発明ナイトカバーにおいて、カバーケースを、その断面が略Ｃ形を含む略円形や多角形状などにアルミニウム材の押出成形により形成したものを使用すれば、用済み後のカバーケースアルミニウム材ゆえにリサイクル性が高い。この点は操作用のバー部材をアルミニウム材で形成しても同様である。また、前記カバーケースは、オープンショーケースへの取付面に磁石を設け、この磁石の磁力によってオープンショーケースに取付けることにより、取付作業手間の大幅簡素化を図るようにしてもよい。
【発明の効果】
【００１１】
本発明ナイトカバーは、そのカバーケースを当該ケースの長さ方向における分割タイプとしたので、ナイトカバーのオープンショーケースへの取付けが容易になるのみならず、ショーケース側の霜取用ヒーターやその配線などを避けたビス止めを、正確かつ迅速に行うことが可能になり、また、カバー本体のメンテナンスなどにおいてもナイトカバー全体をオープンショーケースから取外す必要がなくなるので、取付作業やメンテナンス作業の合理化を図ることができる。
【発明を実施するための最良の形態】
【００１２】
次に本発明の実施の形態例を図を参照しつつ説明する。図１は本発明の説明の便宜のため、本発明ナイトカバーの一例を取付けた冷凍タイプのオープンショーケースの要部の斜視図、図２は図１のショーケースにおける本発明ナイトカバーの使用状態の要部を示す斜視図、図３〜図５は、それぞれ本発明ナイトカバーのカバーケースの第一例〜と第三例の構造を説明するための拡大断面図である。
【００１３】
図１，図２において、１は冷凍又は冷蔵機能を付与された平台タイプのオープンショーケースで、ケース１の上面全面が商品出入れ口としての開口面２に形成されている。３はこのケース１の開口面２の図における向う側に装着した本発明ナイトカバーの一例で、次の構成を具備する。なお、前記ショーケース１には、図１に仮想線で示すように、前後両面に商品収容部を備えたものもあり、本発明はこのタイプのショーケースにも適用できる。
【００１４】
本発明ナイトカバー３は、断面を例示した図３により説明すると、自動巻取りロールスクリーンと同様にバネ力による巻取機能が付与された巻芯3aに巻き取ったカバー本体3bと、その巻芯3aの左右両端を外側から挟持するため左右両端に支持ブラケット4a，4bを有すると共に、カバー本体3bの引出し，巻込みのための開口部4cを前面側の全長に形成した断面が略Ｃ形の筒状をなすカバーケース４と、前記カバー本体3bの先端にその全幅に亘り取付けたプラスチックやアルミニウムの押出材により形成し、カバー本体3bの先端に取り付けた開閉操作用の支持バー3cと、この支持バー3cの中央部分に設けた環状などをなす引手3dとから構成される。
【００１５】
本発明ナイトカバー３は、カバーケース４をその底壁（下部辺又は下部壁ともいう）においてショーケース１の開口面２の向う側枠の上面1aに取付け、カバー本体3bを、カバーケース４におけるカバー本体3bの出入口である開口部4cからショーケース１の開口面２の手前側2aに引出し、当該ケース１の前壁1bの上部に設けたカバー掛止部５に前記引手3dを兼用した係止部材を係止することにより、前記ケース１の開口面２の全域を塞ぐように取付けられる。前記係止部材は引手3dとは別に設けることもある。なお、Ｌは、上記カバーケース４のほぼ真下に位置するケース１内に設けられた螢光灯などによる照明器具である。
【００１６】
上記ナイトカバーの使用方法，使用形態は、従来のそれと同様である。即ち、営業時においては本発明ナイトカバー３は、カバー本体3bをその巻芯3aに巻取らせてカバーケース４の内部に収納された図１の状態にしておき、夜間や休日などの営業時間外において、図１の状態から引手3dを引張ってカバー本体3bをその支持バー3cの部分においてショーケース１の前壁1aの側に引出し、支持バー3cの中央部に取付けられている引手3dが兼用する係止部材をケース前壁1bの上部中央に設けられた掛止部５に引掛けることにより、カバー本体3bが開口面２のほぼ全面を塞いだ図２の状態にし、ショーケース１の開口面２の内，外を全面的に遮断するのである。
【００１７】
上記ナイトカバーのカバーケース４は、従来、図３の例では前面を開口部4cとする断面略Ｃ形のプラスチックやアルミニウムの押出材により形成されているため、カバーケース４をショーケース１の向う側の枠の上面1aに取付けるには、このケース４の底壁4dを、前方又は後方に拡張形成し、一例として図３に仮想線で示した拡張壁4d′にビスを立てて枠の上面1aに取付けていたが、これでは見栄えが良好でないほか、このカバーケース４の内部のメンテナンス２をするには、カバーケース全体をショーケース１から取外す必要があって面倒であった。また、拡張壁4d′を設けないビス止めであると、取付ビスによって取付部分の内部に配置されている霜取用ヒータなどを前記ビスによって破損させてしまうおそれもあった。
【００１８】
そこで本発明では、上記カバーケース４を、その断面略Ｃ形の上下で二分した形の２つの分割ピース4e，4fによる分割形態とし、その分割ピース4e，4fのうち、分割ピース4eをショーケース１の枠の上面1aにおけるビス６の取付け位置を霜取ヒータなどの内部の部品を避けるように選択してから当該ビス６によって固定し、残りの分割ピース4fを先に取付けた分割ピース4eと結合するようにしたのである。この結合のため本発明では、先に固定される分割ピース4eの両エンド近傍と中間部に、図３に例示する断面形状の分割ピースホルダ７を設けるので、以下に分割ピースホルダ７について説明する。
【００１９】
即ち、分割ピースホルダ７は、断面が細い略Ｈ状をなし、その下半部7aが先に固定される分割ピース4eの立壁に嵌合されてビス８などにより当該ピース4eに結合，固定される。一方、当該ホルダ７の上半部7bは、このホルダ７が固定される分割ピース4eの両エンドと中間部の３箇所に設けられているので、３箇所のホルダ７の上半部7bに、他方の分割ピース4fの立壁部を支持させるには、この分割ピース4fを先の分割ピース4eに対して平行姿勢にし、そのまま水平方向にスライドさせて、３個の分割ピースホルダ７の上半部7bに挿入することによって、両分割ピース4eと4fを結合するのである。
【００２０】
図４は、カバーケース４を上，下で分割形にした点で、図３の例と共通するが、分割ピース4fのホルダ７の断面形状が略Ｉ形である点で、図３の例のいわば簡易バージョンである。即ち、図４の例では略Ｉ形の分割ピースホルダ71を、ビス６によって先にショーケースの枠の上面1aに取付けられる分割ピース4eの立壁の前面又は後面（図４では前面）に、接着やビス止めなどにより固定81しておき、このホルダ71に、他方の分割ピース4fの立壁部をビス９によって止める。なお、図４において、図３と同一符号は同一部材，同一部位を示すものとする。また、図４においては巻芯3a，カバー本体3b，支持ブラケット4a，4bなどは示していない。
【００２１】
本発明ナイトカバーでは、上記カバーケース４の分割形態を承けて、図５に例示するように、このカバーケース４の分割ピース4eと4fを、それらの分割線の部位にヒンジ又は蝶番などによる枢着部材10を設けて先に取付けられる分割ピース4eに対し分割ピース4fを開閉自在に支持させる構造としてもよい。また、図５の例では両ピース4e，4fを閉じて断面略Ｃ形にしたとき、その形態を保持するため、鉤状体などの部材による機械的ロック手段11を設ける。この場合ロック手段11は、カバー本体3bのカバーケース４からの引出し，巻取りの障害にならないように、カバーケース４の両エンドの外側に設ける。
【００２２】
以上の実施の形態例において、カバーケース４の分割線は、当該ケース４の断面形状を上，下でほぼ二分する位置（背面壁の略中間）に形成したが、本発明の目的から見れば、カバーケース４の分割線はこの位置に限られるものではない。例えば、カバーケース４における立壁（背面壁）の上方又は下方に片寄らせた位置や、立壁と底壁4dの境界（偶部）や立壁と上面壁の偶部であってもよい。このような位置にカバーケース４の分割線が形成される場合、分割ピースホルダ７，71の形態も、それに対応して変形させたものを用いる。
【００２３】
以上に説明した本発明ナイトカバーのカバーケース４では、カバー本体3bを巻取った際の湿気を拡散するための小孔（図示せず）を、このケース４の外周面に散在的に設けることがある。また、本発明ナイトカバーでは、カバーケース４におけるショーケース１の上面1aへの取付面に、上記例のビス６に代え平面状の磁石や埋設した磁石（図示せず）を設け、この磁石の磁力によって、本発明ナイトカバーをショーケース１の上面1aに取付ける形態を選択することができる。更に、カバーケース４を上面1aに接着により取付けることもある。
【００２４】
なお、本発明カバーでは、カバー本体3bに透湿性のある織布を用いることが望ましい。そうするとカバー本体3bの内面が庫内の冷気に接しても、それが外面に伝導され難く、また、多少の熱伝導があってカバー本体3bの外面温度が外気よりも低下しても、カバー本体3bの外面に結露が生じることはない。
【００２５】
上記の本発明ナイトカバーは、上面を開口した平台形のオープンショーケース（図１，図２参照）に適用した例であるが、本発明ナイトカバーは前面を開口したアップライトタイプ、或は、棚タイプの冷凍又は冷蔵オープンショーケースにも勿論適用することができるものである。また、本発明ナイトカバーは、ショーケースの製造時に取付けることも、ショーケースの製造後、或は、そのケースの店舗への設置後に、いわゆる後付けにより取付けることもできる。
【産業上の利用可能性】
【００２６】
本発明は以上の通りであて、カバー本体を収めたカバーケースを分割構造としたので、ショーケースへの取付けが容易になるのみならず、カバー本体のメンテナンス時にカバーケース全体を取付部から外してしまう必要がなくなり、合理的かつ省力的なナイトカバーの取付けやメンテナンスを実現することができ、きわめて有用である。しかも、本発明ナイトカバーは、カバー本体の上面が着脱式又は開閉式の分割ピースを有するカバーケースで常に覆われているから、汚れが付きにくく、また、メンテナンス時などにカバー本体を着脱する際には、カバー本体の上部側の分割ピースを開けたり外したりすることにより、カバー本体がカバーケース内面に接触したりして汚れが転写されることがない。
【図面の簡単な説明】
【００２７】
【図１】本発明ナイトカバーの一例を取付けた冷凍タイプのオープンショーケースの要部の斜視図。
【図２】図１のナイトカバーの使用状態の要部を示す斜視図。
【図３】本発明ナイトカバーにおけるカバーケースの第一例の側断面図。
【図４】本発明ナイトカバーにおけるカバーケースの第二例の側断面図。
【図５】本発明ナイトカバーにおけるカバーケースの第三例の側断面図。
【符号の説明】
【００２８】
１        オープンショーケース
２        開口面
３        本発明ナイトカバー
3a        巻芯
3b        カバー本体
3c        支持バー
3d        係止部材を兼用する引手
４        カバーケース
4a，4b    支持ブラケット
4c        開口部
4d        カバーケースの底壁
4e，4f    カバーケースの分割ピース
５        カバー掛止部
６        ビス
７，71    分割ピースホルダ
【図１】
2005069648.tif 000003
【図２】
2005069648.tif 000004
【図３】
2005069648.tif 000005
【図４】
2005069648.tif 000006
【図５】
2005069648.tif 000007